(57)【要約】【課題】ノイズ等による悪影響を最小限に抑えて最適な発光演出を行うことが可能な遊技機を提供する。【解決手段】ＬＥＤ等の発光体を備えた発光基板４４ａ〜４４ｃを数珠繋ぎ状に複数接続し、それら複数の発光基板４４ａ〜４４ｃを個別に発光制御可能とした遊技機において、複数の発光基板４４ａ〜４４ｃの接続順序をそれらの発光体の発光頻度に対応させ、例えば発光頻度が最も高い発光基板４４ａが最も上位側となり、発光頻度が最も低い発光基板４４ｃが最も下位側となるように発光基板４４ａ〜４４ｃを接続する。【選択図】図１２
2016131852.tif 000002
【特許請求の範囲】
【請求項１】
発光体を備えた発光基板を数珠繋ぎ状に複数接続し、
前記複数の発光基板を個別に発光制御可能な制御手段を備えた
遊技機において、
前記複数の発光基板の接続順序を前記発光体の発光頻度に対応させた
ことを特徴とする遊技機。
【請求項２】
前記発光頻度が最も高い前記発光基板が最も上位側となるように前記複数の発光基板を接続した
ことを特徴とする請求項１に記載の遊技機。
【請求項３】
前記発光基板を可動体に設けた
ことを特徴とする請求項１又は２に記載の遊技機。
【請求項４】
前記可動体を複数設け、
それら複数の可動体に夫々一以上の前記発光基板を配置した
ことを特徴とする請求項３に記載の遊技機。
【請求項５】
前記可動体は、前記複数の発光基板が装着される基板装着部を備え、
前記基板装着部を複数の部材に分離可能とした
ことを特徴とする請求項３又は４に記載の遊技機。
【請求項６】
前記複数の部材に夫々一以上の前記発光基板を装着した
ことを特徴とする請求項５に記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機には、ＬＥＤ等の発光体を備えた発光基板が、前面パネル内や各種遊技部品に多数配置されており、演出制御基板等の制御によって所定のタイミングで所定の発光パターンに従って発光するようになっている（例えば特許文献１参照）。
【先行技術文献】
【特許文献】
【０００３】
【特許文献１】特開２００９−９５４５７号公報
【発明の概要】
【発明が解決しようとする課題】
【０００４】
例えば一つの遊技部品に、個別に発光制御可能な複数の発光基板を装着する場合、配線を簡略化するためにそれら複数の発光基板を数珠繋ぎ状に接続することが考えられる。この場合、単に配線の都合によって接続順序を決定すると、発光頻度の高い発光基板の配線経路が長くなって例えばノイズを拾いやすくなる場合があるなど、発光演出に悪影響が及ぶ可能性があった。
【０００５】
本発明は上記事情に鑑みてなされたものであり、ノイズ等による悪影響を最小限に抑えて最適な発光演出を行うことが可能な遊技機を提供することを目的とする。
【課題を解決するための手段】
【０００６】
本発明は、発光体５１，９２を備えた発光基板４４ａ〜４４ｃ，８４ａ〜８４ｄを数珠繋ぎ状に複数接続し、前記複数の発光基板４４ａ〜４４ｃ，８４ａ〜８４ｄを個別に発光制御可能な制御手段６３ａを備えた遊技機において、前記複数の発光基板４４ａ〜４４ｃ，８４ａ〜８４ｄの接続順序を前記発光体５１，９２の発光頻度に対応させたものである。
【０００７】
また、前記発光頻度が最も高い前記発光基板４４ａ，８４ａが最も上位側となるように前記複数の発光基板４４ａ〜４４ｃ，８４ａ〜８４ｄを接続してもよい。
【０００８】
また、前記発光基板４４ａ〜４４ｃ，８４ａ〜８４ｄを可動体３１ａ〜３３ａ，３１ｂ〜３３ｂ，８３に設けてもよい。この場合、前記可動体３１ａ〜３３ａ，３１ｂ〜３３ｂを複数設け、それら複数の可動体３１ａ〜３３ａ，３１ｂ〜３３ｂに夫々一以上の前記発光基板４４ａ〜４４ｃを配置してもよい。
【０００９】
また、前記可動体８３は、前記複数の発光基板８４ａ〜８４ｄが装着される基板装着部８８を備え、前記基板装着部８８を複数の部材８８ａ〜８８ｄに分離可能としてもよい。この場合、前記複数の部材８８ａ〜８８ｄに夫々一以上の前記発光基板８４ａ〜８４ｄを装着してもよい。
【発明の効果】
【００１０】
本発明によれば、ノイズ等による悪影響を最小限に抑えて最適な発光演出を行うことが可能である。
【図面の簡単な説明】
【００１１】
【図１】本発明の第１の実施形態に係るパチンコ機の全体斜視図である。
【図２】同パチンコ機の全体背面図である。
【図３】同パチンコ機の遊技盤の正面図である。
【図４】同パチンコ機の制御系のブロック図である。
【図５】同パチンコ機の要部平面断面図である。
【図６】同パチンコ機の要部側面断面図である。
【図７】同パチンコ機の中央表示ユニットにおける後構造体の正面図である。
【図８】同パチンコ機の可動演出手段における各扉の正面図である。
【図９】同パチンコ機の可動演出手段における扉閉鎖時の動作説明図である。
【図１０】同パチンコ機の可動演出手段における扉開放時の動作説明図である。
【図１１】同パチンコ機の可動演出手段における開閉パターンの説明図である。
【図１２】同パチンコ機の第１開閉パターンにおける第１〜第３発光基板の発光状態及び第１〜第３発光基板の発光頻度と接続順序との関係を示す図である。
【図１３】本発明の第２の実施形態に係るパチンコ機の遊技盤の正面図である。
【図１４】同パチンコ機の要部平面断面図である。
【図１５】同パチンコ機の要部正面断面図である。
【図１６】同パチンコ機の可動演出手段における回転ドラムの分解図である。
【図１７】同パチンコ機の第１〜第４演出画像における大当たり信頼度及び停止頻度の一例及びそれら第１〜第４演出画像に対応する第１〜第４発光基板の発光頻度と接続順序との関係を示す図である。
【発明を実施するための形態】
【００１２】
以下、本発明の実施形態を図面に基づいて詳述する。図１〜図１２は本発明をパチンコ機に採用した第１の実施形態を例示している。図１において、遊技機本体１は、矩形状の外枠２と、この外枠２の前側に開閉自在に枢着された前枠３とを備えている。前枠３の前側には、遊技盤４（図３）の前側に対応するガラス扉５と発射手段６（図４）の前側に対応する前面板７とが上下に配置され、前枠３に開閉自在に枢支されている。前面板７の前側には、発射用の遊技球を貯留する貯留皿８と、発射手段６を作動させるための発射ハンドル６ａとが設けられている。
【００１３】
遊技盤４の前面側には、図３に示すように、発射手段６から発射された遊技球を案内するガイドレール９が遊技領域４ａを略取り囲むように装着されると共に、その遊技領域４ａ内に、中央表示ユニット１０、普通図柄始動手段１１、特別図柄始動手段１２、大入賞手段１３、普通入賞手段１４等の各種遊技部品が配置されている。
【００１４】
中央表示ユニット１０は、例えば遊技領域４ａの略中央に配置されており、図５〜図７等に示すように、遊技盤４に形成された装着孔１５に対して前側から装着される前構造体１０ａと、この前構造体１０ａに対応するように遊技盤４の背面側に装着される後構造体１０ｂとを備え、前構造体１０ａに、ステージ１６の他、普通図柄表示手段１７、特別図柄表示手段１８、普通保留個数表示手段１９等の各種表示手段が配置され、後構造体１０ｂに、液晶表示手段２０、可動演出手段２１等が配置されている。
【００１５】
前構造体１０ａには、液晶表示手段２０の表示画面に対応する略矩形状の液晶表示窓２２が形成されており、その液晶表示窓２２の下部前側にステージ１６が例えば横長状に配置されている。このステージ１６は、前構造体１０ａの側部、例えば左側に設けられたワープ入口１６ａに流入した遊技球を自由に転動させた後、例えば左右方向中央の中央落下部又はその左右両側の側部落下部から前側に落下させるようになっている。
【００１６】
普通図柄始動手段１１は、普通図柄表示手段１７による図柄変動を開始させるためのもので、遊技球が通過可能な通過ゲートにより構成され、例えば中央表示ユニット１０の左側に配置されており、遊技球の通過を検出可能な遊技球検出手段（図示省略）を備えている。
【００１７】
普通図柄表示手段１７は、普通図柄を変動表示するためのもので、例えば「○」「×」の２種類の普通図柄に対応する２個の発光体（例えばＬＥＤ）によって構成されており、普通図柄始動手段１１が遊技球を検出することに基づいてそれら２つの発光体が所定時間交互に点滅して、普通図柄始動手段１１による遊技球検出時に取得された普通乱数情報に含まれる当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１８】
なお、普通図柄始動手段１１による遊技球検出時に取得された当たり判定乱数値等の普通乱数情報は、予め定められた上限保留個数、例えば４個を限度として記憶され、普通図柄表示手段１７による図柄変動が開始される毎に順次消化される。普通乱数情報の記憶個数（以下、普通保留個数）は普通保留個数表示手段１９によって遊技者に報知される。
【００１９】
特別図柄始動手段１２は、特別図柄表示手段１８による図柄変動を開始させるためのもので、上下２つの特別始動口１２ａ，１２ｂと、下特別始動口１２ｂを開閉する開閉手段２３と、特別始動口１２ａ，１２ｂに入賞した遊技球を夫々検出する遊技球検出手段（図示省略）とを備え、例えば中央表示ユニット１０の下側に配置されている。上特別始動口１２ａは、開閉手段等を有しない非開閉式入賞口である。下特別始動口１２ｂは、開閉手段２３により遊技球が入賞可能な開状態と入賞不可能（又は開状態よりも入賞困難）な閉状態とに切り換え可能な開閉式入賞口で、普通図柄表示手段１７の変動後の停止図柄が当たり態様となった場合に発生する普通利益状態において、開閉手段２３が所定時間閉状態から開状態に変化するように構成されている。
【００２０】
特別図柄表示手段１８は、１個又は複数個、例えば１個の特別図柄を変動表示可能な７セグメント式等の表示手段により構成されており、特別図柄始動手段１２が遊技球を検出すること、即ち上下２つの特別始動口１２ａ，１２ｂの何れかに遊技球が入賞することに基づいて特別図柄を所定時間変動表示して、特別始動口１２ａ，１２ｂへの入賞時に取得された特別乱数情報に含まれる大当たり判定乱数値が予め定められた大当たり判定値と一致する場合には所定の大当たり態様（特定態様）で、それ以外の場合には外れ態様で停止するようになっている。
【００２１】
特別図柄には、例えば大当たり態様及び外れ態様が夫々１又は複数種類ずつ設けられている。それら各態様には夫々数字図柄等を割り当ててもよいし、遊技者がその特別図柄の種類を容易に区別できないように、任意の線や点の組み合わせのような特別な意味を持たない図柄を割り当ててもよい。
【００２２】
なお、特別図柄始動手段１２への入賞時に取得された特別乱数情報は、予め定められた上限保留個数、例えば４個を限度として記憶され、特別図柄表示手段１８による図柄変動が開始される毎に順次消化される。特別乱数情報の記憶個数（以下、特別保留個数）は、後述する特別保留個数表示手段２４によって遊技者に報知される。
【００２３】
大入賞手段１３は、遊技球が入賞可能な開状態と入賞不可能な閉状態とに切り換え可能な開閉板２５を備えた開閉式入賞手段で、特別図柄表示手段１８の変動後の停止図柄が大当たり態様（特定態様）となった場合に発生する特別利益状態（利益状態）において、開閉板２５が所定の開放パターンに従って前側に開放して、その上に落下してきた遊技球を内部へと入賞させるようになっている。
【００２４】
また液晶表示手段２０は、演出図柄表示手段２６、特別保留個数表示手段２４等を構成しており、演出図柄表示手段２６が、例えば特別図柄表示手段１８による特別図柄の変動表示と並行して演出図柄を含む各種演出画像を変動表示する他、例えば特別保留個数表示手段２４による保留表示画像２４ａの表示個数によって特別保留個数を報知するようになっている。
【００２５】
ここで、演出図柄は、１個又は複数個、例えば左右方向に３個の数字図柄等で構成されており、特別図柄始動手段１２が遊技球を検出すること、即ち上下２つの特別始動口１２ａ，１２ｂの何れかに遊技球が入賞することを条件に特別図柄の変動開始と同時に所定の変動パターンに従って変動を開始すると共に、特別図柄の変動停止と同時に最終停止するように、左、右、中等の所定の順序で停止するようになっている。
【００２６】
演出図柄には、例えば「０」〜「９」の１０種類の数字を含む図柄が用いられ、「６・６・６」、「７・７・７」等、３つの図柄が全て同じ図柄で揃ったものが大当たり態様、少なくとも１つの図柄が異なるものが外れ態様となっている。本実施形態では、特別図柄が大当たり態様となる場合には演出図柄も大当たり態様となり、特別図柄が外れ態様となる場合には演出図柄も外れ態様となる。
【００２７】
可動演出手段２１は、液晶表示手段２０の前側の液晶表示窓２２を両引き戸型の扉によって開閉するもので、図５〜図８等に示すように、左右方向移動可能に支持された左右一対の第１扉（可動体）３１ａ，３１ｂと、それら第１扉３１ａ，３１ｂの後側で左右方向移動可能に支持された左右一対の第２扉（可動体）３２ａ，３２ｂと、それら第２扉３２ａ，３２ｂの後側で左右方向移動可能に支持された左右一対の第３扉（可動体）３３ａ，３３ｂと、左第１〜第３扉３１ａ〜３３ａ，右第１〜第３扉３１ｂ〜３３ｂを夫々「全開状態」と「全閉状態」との間で駆動する開閉駆動手段３４ａ，３４ｂ等を備えており、例えば演出図柄表示手段２６による演出図柄の変動パターンに対応する開閉パターンに従って作動するようになっている。
【００２８】
前構造体１０ａは、液晶表示窓２２の左右両側に扉カバー部３５ａ，３５ｂを備え、それら扉カバー部３５ａ，３５ｂの後側が夫々扉収容部３６ａ，３６ｂとなっている。扉カバー部３５ａ，３５ｂは、少なくとも一部が透光性を有するレンズ部となっている。また、例えば後構造体１０ｂには、液晶表示窓２２の下縁部後側に左第１〜第３扉３１ａ〜３３ａ，右第１〜第３扉３１ｂ〜３３ｂの下部側を夫々左右方向に案内するための左第１〜第３下部レール３７ａ〜３９ａ、右第１〜第３下部レール３７ｂ〜３９ｂが配設され、また液晶表示窓２２の上縁部後側には、左第１〜第３扉３１ａ〜３３ａ，右第１〜第３扉３１ｂ〜３３ｂの上部側を夫々左右方向に案内するための左第１〜第３上部レール４０ａ〜４２ａ、右第１〜第３上部レール４０ｂ〜４２ｂが配設されている。
【００２９】
そして、全開状態のときには、左扉収容部３６ａに左第１〜第３扉３１ａ〜３３ａが、右扉収容部３６ｂに右第１〜第３扉３１ｂ〜３３ｂが、夫々前後に重なった状態で収容されることにより液晶表示窓２２の略全体が開放され（図３，図５に示す状態）、全閉状態のときには、左第１〜第３扉３１ａ〜３３ａにより液晶表示窓２２の左半分が、右第１〜第３扉３１ｂ〜３３ｂにより液晶表示窓２２の右半分が夫々覆われることにより液晶表示窓２２の略全体が閉鎖されるようになっている（図７に示す状態）。なお、左第１〜第３扉３１ａ〜３３ａ及び右第１〜第３扉３１ｂ〜３３ｂの動作領域の前側には、可動演出手段２１側への遊技球の侵入を防止するための透明板２２ａが配置されている（図５，図６）。この透明板２２ａは、液晶表示窓２２を例えば後側から略閉鎖するように配置され、例えば後構造体１０ｂに装着されている。
【００３０】
左第１〜第３扉３１ａ〜３３ａ及び右第１〜第３扉３１ｂ〜３３ｂは、図８等に示すように、夫々正面視で縦長の略矩形板状に形成された扉本体部４３と、例えばこの扉本体部４３の背面側に装着された発光基板４４と、例えば扉本体部４３の下部側に配置された１又は複数の車輪４５と、例えば扉本体部４３の上部側に配置された被案内部４６とを備え、車輪４５が左第１〜第３下部レール３７ａ〜３９ａ、右第１〜第３下部レール３７ｂ〜３９ｂ上を転動し、被案内部４６が左第１〜第３上部レール４０ａ〜４２ａ、右第１〜第３上部レール４０ｂ〜４２ｂに沿って摺動することにより左右方向に移動可能となっている。
【００３１】
扉本体部４３は、その少なくとも一部分が透光性を有するレンズ部となっており、後側の発光基板４４からの光によって所定色に発光するようになっている。また、第１扉３１ａ，３１ｂの扉本体部４３には、例えばその下部側に左右方向の被駆動部４７が例えば一体に設けられ、その被駆動部４７の例えば背面側にラック４８が左右方向に配設されており、開閉駆動手段３４ａ，３４ｂの駆動力はこのラック４８を介して第１扉３１ａ，３１ｂに伝達されるようになっている。
【００３２】
また、例えば第２扉３２ａ，３２ｂ及び第３扉３３ａ，３３ｂの扉本体部４３には、左右方向の閉鎖側端部近傍に前向きの連動突起４９が形成され、また第１扉３１ａ，３１ｂ及び第２扉３２ａ，３２ｂの扉本体部４３には、裏面側に幅方向の略全体にわたって左右方向のガイド溝５０が形成されている。そして、第１扉３１ａ，３１ｂのガイド溝５０に第２扉３２ａ，３２ｂの連動突起４９が、第２扉３２ａ，３２ｂのガイド溝５０に第３扉３３ａ，３３ｂの連動突起４９が左右方向摺動自在に挿入されており、第１扉３１ａ，３１ｂと第２扉３２ａ，３２ｂ、第２扉３２ａ，３２ｂと第３扉３３ａ，３３ｂは、夫々連動突起４９がガイド溝５０内を摺動可能な範囲で相対移動可能となっている。これにより、開閉駆動手段３４ａ，３４ｂの駆動力は、第１扉３１ａ，３１ｂから第２扉３２ａ，３２ｂ、第３扉３３ａ，３３ｂへと順次伝達される。
【００３３】
発光基板４４は、例えばＬＥＤ（発光体）５１の装着面を前側に向けた状態で扉本体部４３に対して後側から装着されている。可動演出手段２１に搭載された各発光基板４４は夫々個別に発光制御可能に構成され、例えば左第１〜第３扉３１ａ〜３３ａ側と右第１〜第３扉３１ｂ〜３３ｂとの２系統で、例えば第１扉３１ａ，３１ｂの第１発光基板４４ａを最上位とし、第２扉３２ａ，３２ｂの第２発光基板４４ｂ、第３扉３３ａ，３３ｂの第３発光基板４４ｃの順序で数珠繋ぎ状に接続されている。
【００３４】
即ち、第１発光基板４４ａの例えば上端部には上流側コネクタ５２ａと下流側コネクタ５２ｂとが設けられ、第２発光基板４４ｂの例えば上端部には上流側コネクタ５３ａと下流側コネクタ５３ｂとが設けられ、第３発光基板４４ｃの例えば上端部にはコネクタ５４が設けられており、図９等に示すように、中継基板５５の下流側コネクタ５６ａと第１発光基板４４ａの上流側コネクタ５２ａとが第１ケーブル５７ａにより、第１発光基板４４ａの下流側コネクタ５２ｂと第２発光基板４４ｂの上流側コネクタ５３ａとが第２ケーブル５７ｂにより、第２発光基板４４ｂの下流側コネクタ５３ｂと第３発光基板４４ｃのコネクタ５４とが第３ケーブル５７ｃにより夫々接続されている。中継基板５５は例えば後構造体１０ｂの所定位置に配置されており、例えば他の中継基板等を経て演出制御基板（制御手段）６３ａ（図４）に接続されている。なお、第１〜第３ケーブル５７ａ〜５７ｃには例えばフレキシブルフラットケーブルが用いられ、液晶表示窓２２の外側（ここでは上側）のスペースに収容されており、弛みのある場合でも液晶表示窓２２内に垂れ下がらないように例えば幅方向を上下に向けて配設されている。
【００３５】
開閉駆動手段３４ａ，３４ｂは例えばステッピングモータで、後構造体１０ｂの下部側に配置されており、その駆動軸に、第１扉３１ａ，３１ｂの各ラック４８に後側から噛合するピニオンギヤ５８が固定されている。
【００３６】
全開状態（図９（ａ））から開閉駆動手段３４ａ，３４ｂを閉鎖方向に作動させると、まず第１扉３１ａ，３１ｂが閉鎖方向（液晶表示窓２２内に進出する方向）に移動を開始する。そして、例えば第１扉３１ａ，３１ｂの略全体が液晶表示窓２２内に進出した時点で第２扉３２ａ，３２ｂの連動突起４９が第１扉３１ａ，３１ｂのガイド溝５０の端部に係合し（図９（ｂ））、それ以降は第１扉３１ａ，３１ｂと共に第２扉３２ａ，３２ｂも閉鎖方向に移動する。続いて例えば第２扉３２ａ，３２ｂの略全体が液晶表示窓２２内に進出した時点で第３扉３２ａ，３２ｂの連動突起４９が第２扉３２ａ，３２ｂのガイド溝５０の端部に係合し（図９（ｃ））、それ以降は全閉状態（図９（ｄ））になるまで第１扉３１ａ，３１ｂ、第２扉３２ａ，３２ｂと共に第３扉３３ａ，３３ｂも閉鎖方向に移動する。
【００３７】
また、全閉状態（図１０（ａ））から開閉駆動手段３４ａ，３４ｂを開放方向に作動させると、まず第１扉３１ａ，３１ｂが開放方向（液晶表示窓２２から退去する方向）に移動を開始する。そして、例えば第１扉３１ａ，３１ｂが第２扉３２ａ，３２ｂの前側に略重なった時点で第２扉３２ａ，３２ｂの連動突起４９が第１扉３１ａ，３１ｂのガイド溝５０の端部に係合し（図１０（ｂ））、それ以降は第１扉３１ａ，３１ｂと共に第２扉３２ａ，３２ｂも開放方向に移動する。続いて例えば第１扉３１ａ，３１ｂと第２扉３２ａ，３２ｂとが第３扉３３ａ，３３ｂの前側に略重なった時点で第３扉３３ａ，３３ｂの連動突起４９が第２扉３２ａ，３２ｂのガイド溝５０の端部に係合し（図１０（ｃ））、それ以降は全開状態（図１０（ｄ））になるまで第１扉３１ａ，３１ｂ、第２扉３２ａ，３２ｂと共に第３扉３３ａ，３３ｂも開放方向に移動する。なお、可動演出手段２１は、全開状態と全閉状態だけでなくそれらの間の任意の位置で停止させるように制御可能である。
【００３８】
また遊技盤４の裏面側には、図２に示すように、中央表示ユニット１０等の遊技部品を後側から覆う裏カバー６１が装着され、この裏カバー６１の背面側に、主制御基板６２ａが格納された主基板ケース６２、演出制御基板６３ａ及び演出インターフェイス基板６３ｂが格納された演出基板ケース６３、液晶制御基板６４ａが格納された液晶基板ケース６４等が着脱自在に装着されている。
【００３９】
前枠３の裏側には、遊技盤４の裏側を開閉自在に覆う開閉カバー６５が着脱自在に装着されると共に、その上部側に遊技球タンク６６とタンクレール６７とが、左右一側に払い出し手段６８と払い出し通路６９とが夫々装着されており、遊技球が大入賞手段１３等に入賞したとき、又は図示しない自動球貸し機から球貸し要求があったときに、遊技球タンク６６内の遊技球をタンクレール６７を経て払い出し手段６８により払い出し、その遊技球を払い出し通路６９を経て貯留皿８に案内するようになっている。
【００４０】
前枠３の裏側下部には、基板装着台７０が着脱自在に装着されており、この基板装着台７０の背面側に、電源基板７１ａが格納された電源基板ケース７１、払出制御基板７２ａが格納された払出基板ケース７２が夫々着脱自在に装着されている。
【００４１】
図４は本パチンコ機の制御系の概略ブロック図である。図４において、主制御基板６２ａは遊技動作を統括的に制御するもので、遊技盤４上の普通図柄表示手段１７、特別図柄表示手段１８、普通図柄始動手段１１、特別図柄始動手段１２、大入賞手段１３、普通入賞手段１４等が例えば図示しない中継基板等を経由して接続されると共に、その下位に、主制御基板６２ａからの制御コマンドに基づいて音声出力、ＬＥＤ発光、可動体駆動等の演出制御を行う演出制御基板６３ａ、この演出制御基板６３ａからの制御コマンドに基づいて液晶表示手段２０を制御する液晶制御基板６４ａ、主制御基板６２ａからの制御コマンドに基づいて払い出し手段６８を制御する払出制御基板７２ａ、この払出制御基板７２ａからの発射制御信号等に基づいて発射手段６を制御する発射制御基板７３等のサブ制御手段が接続されている。
【００４２】
なお、演出制御基板６３ａ及び液晶制御基板６４ａは、主制御基板６２ａに接続された演出インターフェイス基板６３ｂに接続されており、主制御基板６２ａから演出制御基板６３ａへの制御コマンド、演出制御基板６３ａから液晶制御基板６４ａへの制御コマンドは共に演出インターフェイス基板６３ｂを経由して送信されるようになっている。
【００４３】
また、演出制御基板６３ａの制御対象である各種演出手段、例えば可動演出手段２１，スピーカ７４、ＬＥＤ７５等の他、遊技者が操作可能な演出ボタン７６（図１）等は例えば演出インターフェイス基板６３ｂを介して演出制御基板６３ａに接続されている。従って、上述した第１〜第４発光基板４４ａ〜４４ｃについても、中継基板５５等の他、例えば演出インターフェイス基板６３ｂを介して演出制御基板６３ａに接続されている。
【００４４】
また、演出制御基板６３ａによって制御される可動演出手段２１については、演出図柄表示手段２６による演出図柄の変動パターンに対応して、例えば図１１に示すような複数種類の開閉パターンの何れかに従って扉３１ａ〜３３ａ，３１ｂ〜３３ｂが動作すると共に、例えばその扉３１ａ〜３３ａ，３１ｂ〜３３ｂの状態に応じて発光基板４４ａ〜４４ｃのＬＥＤ５１が所定の発光パターンで発光するようになっている。
【００４５】
図１１に示す第１開閉パターンは、全開状態（図９（ａ））から第１閉鎖状態（図９（ｂ）），第２閉鎖状態（図９（ｃ））を経て全閉状態（図９（ｄ））となり、更にその全閉状態（図１０（ａ））から第１開放状態（図１０（ｂ）），第２開放状態（図１０（ｃ））を経て全開状態（図１０（ｄ））に復帰するように構成されている。また、第２，第３開閉パターンは、共に全閉状態に達することなく全開状態に復帰する開閉パターンで、第２開閉パターンについては第１閉鎖状態（図９（ｂ））まで、第３開閉パターンについては第２閉鎖状態（図９（ｃ））まで移動した後で全開状態に復帰するようになっている。もちろん、開閉パターンはこれらに限られるものではなく、例えば所定の範囲で複数回往復移動する等、任意の開閉パターンを採用可能である。また、例えば図１１に示す第１〜第３開閉パターンについても、演出図柄の変動パターンに応じて途中の停止時間や開閉速度が異なる複数種類設けることが望ましい。
【００４６】
図１２（ａ）は、図１１に示す第１開閉パターンの各状態に対応する第１〜第３発光基板４４ａ〜４４ｃの発光状態の一例を示したものである。同図に示すように、扉３１ａ〜３３ａ，３１ｂ〜３３ｂが全開状態の時には、図９（ａ）に示すように第２扉３２ａ，３２ｂ、第３扉３３ａ，３３ｂはその略全体が第１扉３１ａ，３１ｂの後側に重なっているため、例えば第１扉３１ａ，３１ｂの第１発光基板４４ａのみが発光可能となるように制御される。全開状態から閉鎖方向に始動した後、第１閉鎖状態（図９（ｂ））までは、第１扉３１ａ，３１ｂが移動して第２扉３２ａ，３２ｂの前側が徐々に開放されるが、第３扉３３ａ，３３ｂについては依然として第２扉３２ａ，３２ｂの後側に重なった状態にあるため、例えば第１扉３１ａ，３１ｂの第１発光基板４４ａ及び第２扉３２ａ，３２ｂの第２発光基板４４ｂが発光可能で第３発光基板４４ｃは発光しないように制御される。第１閉鎖状態（図９（ｂ））を過ぎた後は、第３扉３３ａ，３３ｂの前側も徐々に開放され、第２閉鎖状態（図９（ｃ））となった後は扉３１ａ〜３３ａ，３１ｂ〜３３ｂの前側の略全体が開放されるため、第１閉鎖状態（図９（ｂ））を過ぎて全閉状態（図９（ｄ））までは例えば第１〜第３発光基板４４ａ〜４４ｃの全てが発光可能となるように制御される。
【００４７】
また、全閉状態（図１０（ａ））から開放方向に始動した後、第１開放状態（図１０（ｂ））に達する前までは例えば引き続き第１〜第３発光基板４４ａ〜４４ｃの全てが発光可能となるように制御されるが、第１開放状態（図１０（ｂ））に達した時点から第２開放状態（図１０（ｃ））に達する前までは、例えば第１扉３１ａ，３１ｂの後側に重なる第２扉３２ａ，３２ｂの第２発光基板４４ｂについては発光せず、第１扉３１ａ，３１ｂの第１発光基板４４ａ及び第３扉３３ａ，３３ｂの第３発光基板４４ｃのみが発光可能となるように制御される。そして、第２開放状態（図１０（ｃ））に達した時点から全開状態（図１０（ｄ））までは、第２扉３２ａ，３２ｂ、第３扉３３ａ，３３ｂはその略全体が第１扉３１ａ，３１ｂの後側に重なっているため、例えば第１扉３１ａ，３１ｂの第１発光基板４４ａのみが発光可能となるように制御される。
【００４８】
この図１２（ａ）より明らかなように、第１発光基板４４ａについては扉３１ａ〜３３ａ，３１ｂ〜３３ｂの状態に拘わらず常に発光可能であるのに対し、第２発光基板４４ｂ及び第３発光基板４４ｃについては扉３１ａ〜３３ａ，３１ｂ〜３３ｂの状態によって発光しない場合があるため、第１〜第３発光基板４４ａ〜４４ｃの中では第１発光基板４４ａが最も発光頻度が高くなる。また、第２発光基板４４ｂと第３発光基板４４ｃとについては、例えば開放方向よりも閉鎖方向への移動速度が遅い場合には第３発光基板４４ｃよりも第２発光基板４４ｂの発光頻度が高くなるなど、開閉パターンの構成によって発光頻度は変化するが、本実施形態では、全体として第３発光基板４４ｃよりも第２発光基板４４ｂの発光頻度が高くなるように制御されるものとする。即ち、本実施形態における第１〜第３発光基板４４ａ〜４４ｃの発光頻度は、図１２（ｂ）に示すように、第１発光基板４４ａが最も高く、第３発光基板４４ｃが最も低くなっている。
【００４９】
また上述したように、第１〜第３発光基板４４ａ〜４４ｃは、第１発光基板４４ａを最上位とし、第２発光基板４４ｂ、第３発光基板４４ｃの順序で数珠繋ぎ状に接続されている。即ち、図１２（ｂ）に示すように、第１〜第３発光基板４４ａ〜４４ｃの接続順序はそれらの発光頻度に対応しており、発光頻度が最も高い第１発光基板４４ａが最も上位側となり、発光頻度が最も低い第３発光基板４４ｃが最も下位側となるように接続されている。これにより、発光頻度の高い発光基板ほど配線経路が短くなって例えばノイズを拾い難くなるため、ノイズ等による悪影響を最小限に抑えて最適な発光演出を行うことが可能となる。
【００５０】
なお、本実施形態では第１〜第３発光基板４４ａ〜４４ｃの発光頻度と前後方向の配置位置（即ち遊技者との位置関係）とが対応しており、発光頻度が高いほど前側、即ち遊技者に近い位置に配置されている。
【００５１】
図１３〜図１７は本発明の第２の実施形態を例示し、第１の実施形態における可動演出手段２１を、回転ドラム式の可動演出手段８１に変更した例を示している。もちろん、複数種類の可動演出手段２１，８１等を搭載してもよい。
【００５２】
本実施形態の可動演出手段８１は、例えば中央表示ユニット１０における液晶表示窓２２の上側のドラム表示窓８２に対応してその後側に配置されており、図１４，図１５等に示すように、回転ドラム（可動体）８３と、この回転ドラム８３の内側に装着された発光基板８４と、回転ドラム８３を回転駆動可能な回転駆動手段８５とを備えている。
【００５３】
回転駆動手段８５は例えばステッピングモータで、駆動軸８５ａを上側に向けた状態で例えば左右一対の支持部８６により例えば後構造体１０ｂの所定位置に固定されており、その駆動軸８５ａには例えばスリップリングユニット８７を挟んで回転ドラム８３が固定されている。
【００５４】
回転ドラム８３は、例えば上下方向の円筒部（基板装着部）８８と、駆動軸８５ａに固定される軸固定部８９と、この軸固定部８９と円筒部８８の例えば上縁側とを半径方向に連結する筒端支持部９０とを備えている。円筒部８８は、複数、例えば４つの第１〜第４部材８８ａ〜８８ｄに略等分割されており、それらを円筒状に組み合わせた状態で筒端支持部９０に対して着脱自在に固定されている。円筒部８８は透光性の合成樹脂により形成されており、図１６（ａ）に示すように、その外面側には複数種類、例えば４種類の第１〜第４演出画像９１ａ〜９１ｄが例えば第１〜第４部材８８ａ〜８８ｄに対応して配置されている。
【００５５】
本実施形態では、第１演出画像９１ａとして所定のキャラクターの画像が、第２演出画像９１ｂとして「もしかして…？」の文言を含む画像が、第３演出画像９１ｃとして「チャンス！？」の文言を含む画像が、第４演出画像９１ｄとして「アツイ！！」の文言を含む画像が夫々用いられている。なお、ドラム表示窓８２は各演出画像９１ａ〜９１ｄに対応する大きさに形成されており、図１３に示すように、遊技者はこのドラム表示窓８２を介して各演出画像９１ａ〜９１ｄを視認可能となっている。以下の説明では、ドラム表示窓８２を介して例えば第１演出画像９１ａが見える状態を単に「第１演出画像９１ａを表示した状態」、「第１演出画像９１ａで停止した状態」等と表現する。
【００５６】
発光基板８４は、例えば第１〜第４演出画像９１ａ〜９１ｄに対応して４つ（第１〜第４発光基板８４ａ〜８４ｄ）設けられており、それら第１〜第４発光基板８４ａ〜８４ｄが夫々ＬＥＤ（発光体）９２の装着面を外側に向けた状態で第１〜第４部材８８ａ〜８８ｄの内面側に着脱自在に固定されている。第１〜第４発光基板８４ａ〜８４ｄは、夫々個別に発光制御可能に構成され、図１４，図１６に示すように、例えば第１発光基板８４ａを最上位とし、第２発光基板８４ｂ，第３発光基板８４ｃ，第４発光基板８４ｄの順序で数珠繋ぎ状に接続されている。
【００５７】
即ち、第１発光基板８４ａの内面側（ＬＥＤ９２の装着面とは反対側）の周方向両端部には上流側コネクタ９３ａと下流側コネクタ９３ｂとが設けられ、第２発光基板８４ｂの内面側の周方向両端部には上流側コネクタ９４ａと下流側コネクタ９４ｂとが設けられ、第３発光基板８４ｃの内面側の周方向両端部には上流側コネクタ９５ａと下流側コネクタ９５ｂとが設けられ、第４発光基板８４ｄの内面側の周方向一端側にはコネクタ９６が設けられており、スリップリングユニット８７の回転側コネクタ９７ｂと第１発光基板８４ａの上流側コネクタ９３ａとが第１ケーブル９８ａにより、第１発光基板８４ａの下流側コネクタ９３ｂと第２発光基板８４ｂの上流側コネクタ９４ａとが第２ケーブル９８ｂにより、第２発光基板８４ｂの下流側コネクタ９４ｂと第３発光基板８４ｃの上流側コネクタ９５ａとが第３ケーブル９８ｃにより、第３発光基板８４ｃの下流側コネクタ９５ｂと第４発光基板８４ｄのコネクタ９６とが第４ケーブル９８ｄにより夫々接続されている。なお、第１〜第４ケーブル９８ａ〜９８ｄには例えばフレキシブルフラットケーブルを用いることができる。
【００５８】
スリップリングユニット８７は、回転する発光基板８４に対する配線をねじれや絡まりなく行うためのもので、固定本体部８７ａと、この固定本体部８７ａに対して回転可能な回転部８７ｂと、固定本体部８７ａに設けられた固定側コネクタ９７ａと、回転部８７ｂに設けられた回転側コネクタ９７ｂとを備え、例えば固定側コネクタ９７ａに接続されたスリップリング（図示省略）に対して回転側コネクタ９７ｂ側に接続されたブラシ（図示省略）が摺動自在に接触することにより、固定側コネクタ９７ａと回転側コネクタ９７ｂとが内部で電気的に接続されている。
【００５９】
スリップリングユニット８７は、その略中央に形成された連結孔９９に回転駆動手段８５の駆動軸８５ａを上向きに貫通させた状態で回転駆動手段８５の上側に配置され、固定本体部８７ａが例えば回転駆動手段８５に対して着脱自在に固定されている。駆動軸８５ａは、固定本体部８７ａに対しては相対回転自在であり、回転部８７ｂに対しては回転方向に連結されている。これにより、回転駆動手段８５の回転駆動力はスリップリングユニット８７の回転部８７ｂと回転ドラム８３とに伝達され、スリップリングユニット８７の回転側コネクタ９７ｂは第１〜第４発光基板８４ａ〜８４ｄと共に回転するため、回転ドラム８３が所定方向に連続的に回転しても、回転側コネクタ９７ｂと第１発光基板８４ａの上流側コネクタ９３ａとの間で第１ケーブル９８ａがねじれたり軸に絡まったりすることはない。なお、スリップリングユニット８７の固定側コネクタ９７ａは、例えば中継基板、演出インターフェイス基板６３ｂ等を経て演出制御基板６３ａに接続されている。
【００６０】
以上のような可動演出手段８１は、例えば演出図柄表示手段２６による演出図柄の変動中に行われる予告演出の一つである回転予告において作動可能であり、例えば通常時は所定の原点位置、ここでは第１演出画像９１ａを表示した状態で保持される。そして、図柄変動開始時に行われる予告演出に係る抽選で回転予告に当選した場合には、例えば演出図柄の変動開始時又はその後の所定の始動タイミングで回転ドラム８３が回転を開始し、演出図柄が停止するよりも前の所定の停止タイミングで、例えば第２〜第４演出画像９１ｂ〜９１ｄの何れかを表示した状態で回転ドラム８３の回転を停止するようになっている。また、第１〜第４演出画像９１ａ〜９１ｄの何れかを表示した状態で回転ドラム８３が停止している場合には、その表示されている演出画像に対応する発光基板のみが発光可能でそれ以外の発光基板は発光せず、例えば回転ドラム８３が高速回転している状態では第１〜第４発光基板８４ａ〜８４ｄの全てが発光可能であるとする。
【００６１】
ここで、回転予告において第２〜第４演出画像９１ｂ〜９１ｄで停止した場合に、その後に演出図柄が大当たり態様となる信頼度（以下、大当たり信頼度という）は、図１７（ａ）に示すように第２演出画像９１ｂで停止した場合が最も低く、第４演出画像９１ｄで停止した場合が最も高くなるように制御される。これにより、第２〜第４演出画像９１ｂ〜９１ｄの停止頻度は逆に第２演出画像９１ｂが最も高く、第４演出画像９１ｄが最も低くなる。
【００６２】
従って図１７（ｂ）に示すように、第２〜第４演出画像９１ｂ〜９１ｄに対応する第２〜第４発光基板８４ｂ〜８４ｄの発光頻度は、第２発光基板８４ｂが最も高く、第４発光基板８４ｄが最も低くなり、また通常時に発光可能な第１発光基板８４ａの発光頻度は、第２発光基板８４ｂよりも更に高くなる。即ち、原点位置（第１演出画像９１ａが表示された状態）では発光頻度の高い第１発光基板８４ａのみが発光可能である。
【００６３】
なお、演出図柄が外れ態様で停止する外れ変動パターンの場合には、大当たり信頼度の高い演出画像（第４演出画像９１ｄ）では停止しない、即ち発光頻度の低い発光基板（第４発光基板８４ｄ）は発光しないようにしてもよい。また、回転予告において大当たり信頼度の高い演出画像（第４演出画像９１ｄ）で停止し、それに対応する発光頻度の低い発光基板（第４発光基板８４ｄ）が例えば特定の発光パターンで発光した場合には、必ず演出図柄が大当たり態様となるようにしてもよい。
【００６４】
また上述したように、第１〜第４発光基板８４ａ〜８４ｄは、第１発光基板８４ａを最上位とし、第２発光基板８４ｂ、第３発光基板８４ｃ、第４発光基板８４ｄの順序で数珠繋ぎ状に接続されている。即ち、図１７（ｂ）に示すように、第１〜第４発光基板８４ａ〜８４ｄの接続順序はそれらの発光頻度に対応しており、発光頻度が最も高い第１発光基板８４ａが最も上位側となり、発光頻度が最も低い第４発光基板８４ｄが最も下位側となるように接続されている。これにより、発光頻度の高い発光基板ほど配線経路が短くなって例えばノイズを拾い難くなるため、ノイズ等による悪影響を最小限に抑えて最適な発光演出を行うことが可能となる。
【００６５】
以上、本発明の実施形態について詳述したが、本発明はこれらの実施形態に限定されるものではなく、本発明の趣旨を逸脱しない範囲で種々の変更が可能である。例えば、実施形態では可動体に設けた複数の発光基板について、それら複数の発光基板の接続順序を発光体の発光頻度に対応させた例を示したが、それら複数の発光基板は可動体以外の箇所に配置してもよい。
【００６６】
発光頻度の高い発光基板ほどＬＥＤの数を多くしてもよいし、発光頻度の高い発光基板ほど大きなサイズとしてもよい。また、発光頻度の高い発光基板は遊技者側（前側）に向けて光を照射し、発光頻度の低い発光基板は遊技者側（前側）以外の方向に向けて光を照射するなど、発光頻度に応じて、発光基板毎のＬＥＤの照射方向を異ならせてもよい。
【００６７】
実施形態とは逆に、発光頻度が最も低い発光基板が最も上位側となり、発光頻度が最も高い発光基板が最も下位側となるように複数の発光基板を接続してもよい。
【００６８】
所定条件を満たした場合（例えば遊技状態が変更した場合）に発光基板毎の発光頻度を変更可能としてもよい。またそれにより、所定条件を満たした場合（例えば遊技状態が変更した場合）に発光基板毎の発光頻度の順位を変更可能としてもよい。
【００６９】
また本発明は、パチンコ機に限らず、アレンジボール機、雀球遊技機、スロットマシン等の各種遊技機において同様に実施することが可能である。
【符号の説明】
【００７０】
３１ａ，３１ｂ  第１扉（可動体）
３２ａ，３２ｂ  第２扉（可動体）
３３ａ，３３ｂ  第３扉（可動体）
４４ａ  第１発光基板（発光基板）
４４ｂ  第２発光基板（発光基板）
４４ｃ  第３発光基板（発光基板）
５１    ＬＥＤ（発光体）
６３ａ  演出制御基板（制御手段）
９２    ＬＥＤ（発光体）
８３    回転ドラム（可動体）
８４ａ  第１発光基板（発光基板）
８４ｂ  第２発光基板（発光基板）
８４ｃ  第３発光基板（発光基板）
８４ｄ  第４発光基板（発光基板）
８８    円筒部（基板装着部）
８８ａ  第１部材
８８ｂ  第２部材
８８ｃ  第３部材
８８ｄ  第４部材
【図１】
2016131852.tif 000003
【図２】
2016131852.tif 000004
【図３】
2016131852.tif 000005
【図４】
2016131852.tif 000006
【図５】
2016131852.tif 000007
【図６】
2016131852.tif 000008
【図７】
2016131852.tif 000009
【図８】
2016131852.tif 000010
【図９】
2016131852.tif 000011
【図１０】
2016131852.tif 000012
【図１１】
2016131852.tif 000013
【図１２】
2016131852.tif 000014
【図１３】
2016131852.tif 000015
【図１４】
2016131852.tif 000016
【図１５】
2016131852.tif 000017
【図１６】
2016131852.tif 000018
【図１７】
2016131852.tif 000019
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
発光体を備えた複数の発光基板と、
前記複数の発光基板の前記発光体を個別に発光させることが可能な制御手段と、
前記発光基板が装着された基板装着部を複数有する可動体とを備えた
遊技機において、
複数の前記基板装着部は互いに分離可能であり、
前記複数の発光基板を、前記発光体が発光する頻度の高いものが上位側となるように接続した
ことを特徴とする遊技機。
【手続補正２】
【補正対象書類名】明細書
【補正対象項目名】０００６
【補正方法】変更
【補正の内容】
【０００６】
本発明は、発光体９２を備えた複数の発光基板８４ａ〜８４ｄと、前記複数の発光基板８４ａ〜８４ｄの前記発光体９２を個別に発光させることが可能な制御手段６３ａと、前記発光基板８４ａ〜８４ｄが装着された基板装着部８８ａ〜８８ｄを複数有する可動体８３とを備えた遊技機において、複数の前記基板装着部８８ａ〜８８ｄは互いに分離可能であり、前記複数の発光基板８４ａ〜８４ｄを、前記発光体９２が発光する頻度の高いものが上位側となるように接続したものである。
また、発光体５１，９２を備えた発光基板４４ａ〜４４ｃ，８４ａ〜８４ｄを数珠繋ぎ状に複数接続し、前記複数の発光基板４４ａ〜４４ｃ，８４ａ〜８４ｄを個別に発光制御可能な制御手段６３ａを備えた遊技機において、前記複数の発光基板４４ａ〜４４ｃ，８４ａ〜８４ｄの接続順序を前記発光体５１，９２の発光頻度に対応させてもよい。